(57)【特許請求の範囲】
【請求項１】
内部にエアゾール内容液が収納されたエアゾール容器（１）  と、エアゾール容器（１）  の上端部に備えられたティルトバルブ部とを備え、
このティルトバルブ部には、エアゾール容器（１）  の上端部をなすマウンテン部（１１）の蓋体（１１ａ）の中央から上方に突設されたステム（１２）が備えられ、
ステム（１２）は、内部に導通路（１２ａ）の形成された管状を呈し、下部側がエアゾール容器（１）  のマウンテン部（１１）に傾斜可能に取り付けられており、ステム（１２）の軸方向がエアゾール容器（１）  の軸方向に対して傾くとステム（１２）の導通路（１２ａ）とエアゾール容器（１）  の内部とが連通してエアゾール内容液が導通路（１２ａ）から外部に噴霧させ、エアゾール容器（１）  に対して傾けられたステム（１２）は、エアゾール容器（１）  の内部に設けられたコイルバネ（１５）の付勢力によって元の状態に戻されるようにしたエアゾール噴霧装置において、
このエアゾール噴霧装置に、エアゾール容器（１）  に係脱自在に嵌着し得るキャップ（２）  が備えられ、このキャップ（２）  が、エアゾール容器（１）  に嵌着するキャップ本体（２１）と、キャップ本体（２１）に対して可動しステム（１２）を押圧して傾斜させるステム押圧部（２２ｂ）  と、ステム押圧部（２２ｂ）  と共に可動するキャップ用容器当接部（２２ｃ）  とを備え、キャップ用容器当接部（２２ｃ）  が、ステム押圧部（２２ｂ）  の押圧によるステム（１２）の一定量の傾斜に伴いエアゾール容器（１）  又はキャップ本体（２１）の一部に当接し得る位置に配位されるものであり、且つ、この当接した状態で、エアゾール容器（１）に対するステム（１２）の傾斜量が最大限となるものであり、これによりステム押圧部（２２ｂ）  によるステム（１２）の傾斜量が一定範囲で止まるようになされたものであることを特徴とするエアゾール噴霧装置。
【請求項２】
内部にエアゾール内容液が収納されたエアゾール容器（１）  と、エアゾール容器（１）  の上端部に備えられたティルトバルブ部とを備え、
このティルトバルブ部には、エアゾール容器（１）  の上端部をなすマウンテン部（１１）の蓋体（１１ａ）の中央から上方に突設されたステム（１２）が備えられ、
ステム（１２）は、内部に導通路（１２ａ）の形成された管状を呈し、下部側がエアゾール容器（１）  のマウンテン部（１１）に傾斜可能に取り付けられており、ステム（１２）の軸方向がエアゾール容器（１）  の軸方向に対して傾くとステム（１２）の導通路（１２ａ）とエアゾール容器（１）  の内部とが連通してエアゾール内容液が導通路（１２ａ）から外部に噴霧させ、エアゾール容器（１）  に対して傾けられたステム（１２）は、エアゾール容器（１）  の内部に設けられたコイルバネ（１５）の付勢力によって元の状態に戻されるようにしたエアゾール噴霧装置において、
このエアゾール噴霧装置が、ステム（１２）を押圧して傾斜させるステム押圧部（２２ｂ）  と、ステム押圧部（２２ｂ）  によるステム（１２）の傾斜量を一定範囲で止める傾斜停止手段とを備え、
上記傾斜停止手段が、ステム（１２）に取り付けられたステム用容器当接部（１３ｄ）  から構成され、このステム用容器当接部（１３ｄ）  が、エアゾール容器（１）  に対するステム（１２）の一定量の傾斜に伴ってエアゾール容器（１）  の一部（１１ａ）  に当接し得るように配位されるものであり、且つ、この当接した状態で、エアゾール容器（１）に対するステム（１２）の傾斜量が最大限となるものであり、これによりステム押圧部（２２ｂ）  によるステム（１２）の傾斜量が一定範囲で止まるようになされたものであることを特徴とするエアゾール噴霧装置。
【請求項３】
上記のエアゾール噴霧装置には、エアゾール容器（１）  に係脱自在に嵌着し得るキャップ（２）  が備えられ、このキャップ（２）  が、エアゾール容器（１）  に嵌着するキャップ本体（２１）と、キャップ本体（２１）に対して可動しステム（１２）を押圧して傾斜させるステム押圧部（２２ｂ）  とを備えたものであることを特徴とする請求項２記載のエアゾール噴霧装置。
【発明の詳細な説明】
【０００１】
【発明の属する技術分野】
本願発明は、エアゾール噴霧装置、詳しくはティルトバルブを用いたエアゾール噴霧装置の改良に関するものである。
【０００２】
【従来の技術】
エアゾール噴霧装置は、エアゾール容器内に収納したエアゾール内容液を、エアゾール容器の上端に突設させたステムを押圧操作させることにより、ステムに設けた噴霧孔から噴霧させるもので、手軽にワンタッチで噴霧でき、従来から広く利用されている。このエアゾール噴霧装置は、一般に、ステムをエアゾール容器に対して下方に押圧しステムを押し下げることにより噴霧させる方式のものと、エアゾール容器に対して傾斜可能に突設させステムを傾斜させることにより噴霧させる、いわゆるティルトバルブ（傾斜式エアゾール用バルブ）方式のものとに大別される。このティルトバルブ方式のものは、例えばエアゾール容器の上端部に、エアゾール容器に対して傾斜可能にステムを突設させ、一方、エアゾール容器の上部を覆うキャップの側壁にステムを押圧させるステム押圧部材を径方向に移動可能に備え、そして、このキャップをエアゾール容器に嵌着させた後、ステム押圧部材を径内方向に押圧操作することにより、ステム押圧部材がステムの周壁を押し、これにより、ステムがエアゾール容器に対して傾斜してエアゾール内容液がステムの噴霧孔から噴霧できるようにしたものである。
【０００３】
【発明が解決しようとする課題】
しかしながら、ステム押圧部材を強く押し過ぎるとステムが傾き過ぎ、その結果、ステムとエアゾール容器との接続部をなすティルトバルブ部に支障をきたし、使用不能になるおそれがある。又、そのような場合、ステム押圧部材をどの程度の力で押圧すれば良いか一般需要者に判らず、また、仮に判っていたとしても、押し過ぎてしまう場合が生じる。
【０００４】
本願発明は、以上の実情に鑑み提案されたもので、ステム押圧部を強く押した場合でも、ステムがエアゾール容器に対して一定以上傾くことのないエアゾール噴霧装置を提供することを第１の目的とする。
【０００５】
本願発明は、ステム押圧部を強く押した場合でも、ステムがエアゾール容器に対して一定以上傾くことのないものであって、製作容易なエアゾール噴霧装置を提供することを第２の目的とする。
【０００６】
【課題を解決するための手段】
本願の請求項１に係る発明は、内部にエアゾール内容液が収納されたエアゾール容器１と、エアゾール容器１の上端部に備えられたティルトバルブ部とを備え、このティルトバルブ部には、エアゾール容器１の上端部をなすマウンテン部１１の蓋体１１ａの中央から上方に突設されたステム１２が備えられ、ステム１２は、内部に導通路１２ａの形成された管状を呈し、下部側がエアゾール容器１のマウンテン部１１に傾斜可能に取り付けられており、ステム１２の軸方向がエアゾール容器１の軸方向に対して傾くとステム１２の導通路１２ａとエアゾール容器１の内部とが連通してエアゾール内容液が導通路１２ａから外部に噴霧させ、エアゾール容器１に対して傾けられたステム１２は、エアゾール容器１の内部に設けられたコイルバネ１５の付勢力によって元の状態に戻されるようにしたエアゾール噴霧装置において、このエアゾール噴霧装置に、エアゾール容器１に係脱自在に嵌着し得るキャップ２が備えられ、このキャップ２が、エアゾール容器１に嵌着するキャップ本体２１と、キャップ本体２１に対して可動しステム１２を押圧して傾斜させるステム押圧部２２ｂと、ステム押圧部２２ｂと共に可動するキャップ用容器当接部２２ｃとを備え、キャップ用容器当接部２２ｃが、ステム押圧部２２ｂの押圧によるステム１２の一定量の傾斜に伴いエアゾール容器１又はキャップ本体２１の一部に当接し得る位置に配位されるものであり、且つ、この当接した状態で、エアゾール容器１に対するステム１２の傾斜量が最大限となるものであり、これによりステム押圧部２２ｂによるステム１２の傾斜量が一定範囲で止まるようになされたものであることを特徴とするエアゾール噴霧装置を提供する。
【０００７】
本願の請求項２に係る発明は、内部にエアゾール内容液が収納されたエアゾール容器１と、エアゾール容器１の上端部に備えられたティルトバルブ部とを備え、このティルトバルブ部には、エアゾール容器１の上端部をなすマウンテン部１１の蓋体１１ａの中央から上方に突設されたステム１２が備えられ、ステム１２は、内部に導通路１２ａの形成された管状を呈し、下部側がエアゾール容器１のマウンテン部１１に傾斜可能に取り付けられており、ステム１２の軸方向がエアゾール容器１の軸方向に対して傾くとステム１２の導通路１２ａとエアゾール容器１の内部とが連通してエアゾール内容液が導通路１２ａから外部に噴霧させ、エアゾール容器１に対して傾けられたステム１２は、エアゾール容器１の内部に設けられたコイルバネ１５の付勢力によって元の状態に戻されるようにしたエアゾール噴霧装置において、このエアゾール噴霧装置が、ステム１２を押圧して傾斜させるステム押圧部２２ｂと、ステム押圧部２２ｂによるステム１２の傾斜量を一定範囲で止める傾斜停止手段とを備え、上記傾斜停止手段が、ステム１２に取り付けられたステム用容器当接部１３ｄから構成され、このステム用容器当接部１３ｄが、エアゾール容器１に対するステム１２の一定量の傾斜に伴ってエアゾール容器１の一部１１ａに当接し得るように配位されるものであり、且つ、この当接した状態で、エアゾール容器１に対するステム１２の傾斜量が最大限となるものであり、これによりステム押圧部２２ｂによるステム１２の傾斜量が一定範囲で止まるものであることを特徴とするエアゾール噴霧装置を提供する。
【０００８】
本願の請求項３に係る発明は、上記のエアゾール噴霧装置には、エアゾール容器１に係脱自在に嵌着し得るキャップ２が備えられ、このキャップ２が、エアゾール容器１に嵌着するキャップ本体２１と、キャップ本体２１に対して可動しステム１２を押圧して傾斜させるステム押圧部２２ｂとを備えたものであることを特徴とする請求項２記載のエアゾール噴霧装置を提供する。
【０００９】
【発明の実施の形態】
以下、図を基に本願発明の一実施の形態を具体的に説明する。図１は、本願発明の一実施の形態の要部拡大断面図である。本願発明のエアゾール噴霧装置は、エアゾール容器１と、エアゾール容器１の上端部に係脱自在に嵌着されるキャップ２とを備えている。
【００１０】
エアゾール容器１は、内部にエアゾール内容液が収納され、上端部には、ティルトバルブ部が備えられている。このティルトバルブ部は、エアゾール容器１の上端部をなすマウンテン部１１の蓋体１１ａの中央から上方に突設されたステム１２が備えられている。ステム１２は、内部に導通路１２ａの形成された管状を呈し、下部側がエアゾール容器１のマウンテン部１１に傾斜可能に取り付けられており、ステム１２の軸方向がエアゾール容器１の軸方向に対して傾くとステム１２の導通路１２ａとエアゾール容器１の内部とが連通してエアゾール内容液が導通路１２ａから外部に出るようになされている。一方、エアゾール容器１に対して傾けられたステム１２は、エアゾール容器１の内部に設けられたコイルバネ１５の付勢力によって元の状態に戻される。
【００１１】
又、このステム１２の上端には、操作部材１３が備えられている。この操作部材１３は、内部の下部側にステム１２に嵌着される嵌挿孔１３ａが備えられ、又、嵌挿孔１３ａから上端に貫通する噴霧孔１３ｂが備えられており、嵌挿孔１３ａがステム１２の上部側から嵌着されることにより、噴霧孔１３ｂとステム１２の導通路１２ａとが連通するようになされている。また、操作部材１３の外周の下部には、円形状の鍔１３ｃが設けられている。
【００１２】
キャップ２は、図２に示すようにキャップ本体２１と、ステム操作片２２とを備えている。キャップ本体２１は、下面が開口され、下端の内周にエアゾール容器１の上端外周に嵌着される嵌合部２１ａが備えられ、この嵌合部２１ａによってキャップ２がエアゾール容器１に係脱自在に嵌着される。
【００１３】
ステム操作片２２は、ステム１２を押圧操作するためのもので、本実施形態では、キャップ本体２１と一体的に形成されている。詳しくは、ステム操作片２２は、図１及び図２に示すようにキャップ本体２１の後部側から前部側まで所定幅で延設されてキャップ本体２１の上面の一部をなすようになされており、後部側のみがキャップ本体２１に接続され、他の部分はキャップ本体２１から切り放たれている。従って、このステム操作片２２は、前端側に上下方向の力をかけられると後部側が撓み、その撓みにより前端側がキャップ本体２１に対して上下方向に回動し、一方、かけられていた力が取り除かれると弾力により元の状態に戻る。又、ステム操作部２２の前部側における外面には、ステム操作片２２を押圧操作するための押圧操作部２２ａを備え、押圧操作部２２ａの裏側の内面にステム１２の鍔１３ｃに当接して押圧するステム押圧部２２ｂを備えている。このステム押圧部２２ｂは、押圧操作部２２ａを押圧していない通常状態において、図１に示すようにステム１２の鍔１３ｃの上面と隙間が殆どできない程度に配位され、押圧操作部２２ａの押圧による下方側への回動に伴ってステム１２の鍔１３ｃにおける外周部を下方に押圧できるようになされている。更に、このステム押圧部２２ｂの下方側に、キャップ用容器当接部２２ｃが備えられている。このキャップ用容器当接部２２ｃは、エアゾール容器１に対するステム１２の傾斜量を一定範囲で止める傾斜停止手段としてのものであり、本実施形態では、押圧操作部２２ａを押圧していない通常状態において、エアゾール容器１のマウンテン部１１における頂部１１ｂの上方側に所定距離だけ隔てられて配位され、押圧操作部２２ａの押圧による下方側への回動に伴ってマウンテン部１１における頂部１１ｂに当接するようになされている。尚、ステム操作片２２の上部に開設された孔１４は、ステム１２からのエアゾール内容液を放出させるためのものである。
【００１４】
次に、この装置の使用方法について説明する。キャップ２をエアゾール容器１に嵌着させた後、押圧操作部２２ａを手で下方側に押圧する。これにより、図３に示すようにステム操作片２２の後端側が撓むことによりステム操作片２２の前端側が下方側に回動し、この回動に伴いステム押圧部２２ｂがステム１２の鍔１３ｃにおける外周部を下方に押圧する。そして、この押圧により、ステム１２がエアゾール容器１に対して傾き、ステム１２の導通路１２ａとエアゾール容器１の内部とが連通してエアゾール内容液が導通路１２ａから外部に出る。又、その押圧操作部２２ａの押圧に際し、強く押すとエアゾール容器１に対するステム１２の傾斜量を徐々に大きくしつつ、ステム操作片２２の前端側が下方側に移動し、キャップ用容器当接部２２ｃがマウンテン部１１における頂部１１ｂに当接する。従って、キャップ用容器当接部２２ｃがマウンテン部１１の頂部１１ｂに当接した後は、押圧操作部２２ａをそれ以上の力で押圧しても、ステム押圧部２２ｂがステム１２の鍔１３ｃをそれ以上、押圧するようなことがなく、エアゾール容器１に対するステム１２の傾斜が止まり、キャップ用容器当接部２２ｃとマウンテン部１１の頂部１１ｂとの当接した状態で、エアゾール容器１に対するステム１２の傾斜量が最大限となる。よって、エアゾール容器１に対してステム１２の傾斜量を一定範囲に止めることができ、従来のようにステム１２がエアゾール容器１に対して傾き過ぎ、ステム１２とエアゾール容器１との接続部をなすティルトバルブ部に支障をきたすようなことを防止できる。しかも、製作においては、キャップ用容器当接部２２ｃを、キャップ本体２１と一体的に形成でき、一つの工程で行え、低コストで製作できる。
【００１５】
尚、上記の実施形態では、キャップ用容器当接部２２ｃをエアゾール容器１のマウンテン部１１における頂部１１ｂに当接させるようにしているが、この形態のものに限らず、エアゾール容器１又はキャップ本体２１の一部に当接させれば良い。
【００１６】
次に、他の実施形態について図４に基づき説明する。本実施形態では、ステム操作片２２にステム押圧部２２ｂのみ設け、操作部材１３の鍔１３ｃにステム用容器当接部１３ｄを設けたものとし、このステム用容器当接部１３ｄを、ステム押圧部２２ｂによるステム１２の傾斜量を一定範囲で止める傾斜停止手段としたものである。詳しくは、このステム用容器当接部１３ｄは、操作部材１３との一体形成によって操作部材１３の鍔１３ｃの下面における外周部に全周に渡り、エアゾール容器１のマウンテン部１１における蓋体１１ａの径より小さい径で下方に突設されている。又、ステム用容器当接部１３ｄの下端は、ステム１２が傾いていない通常状態において、エアゾール容器１のマウンテン部１１における蓋体１１ａの上方側に所定距離だけ隔てられて配位され、ステム１２の傾きに伴ってマウンテン部１１における蓋体１１ａの上面に当接するようになされている。
【００１７】
この装置の使用方法は、先の実施形態のものと同様に、押圧操作部２２ａを手で下方側に押圧する。これにより、同様に、ステム操作片２２の前端側が下方側に回動してステム押圧部２２ｂがステム１２の鍔１３ｃにおける外周部を下方に押圧し、この押圧により、ステム１２がエアゾール容器１に対して傾き、ステム１２の導通路１２ａとエアゾール容器１の内部とが連通してエアゾール内容液が導通路１２ａから外部に出る。又、その押圧操作部２２ａの押圧に際し、強く押すとエアゾール容器１に対するステム１２の傾斜量が徐々に大きくなり、操作部材１３の鍔１３ｃに設けたステム用容器当接部１３ｄがマウンテン部１１における蓋体１１ａに当接する。従って、ステム用容器当接部１３ｄがマウンテン部１１の蓋体１１ａに当接した後は、押圧操作部２２ａをそれ以上の力で押圧しても、ステム押圧部２２ｂがステム１２の鍔１３ｃをそれ以上、押圧できなくなって、エアゾール容器１に対するステム１２の傾斜が止まり、ステム用容器当接部１３ｄとマウンテン部１１の蓋体１１ａとの当接した状態で、エアゾール容器１に対するステム１２の傾斜量が最大限となる。よって、先の実施形態のものと同様にエアゾール容器１に対してステム１２の傾斜量を一定範囲に止めることができ、従来のようにステム１２がエアゾール容器１に対して傾き過ぎ、ステム１２とエアゾール容器１との接続部をなすティルトバルブ部に支障をきたすようなことを防止できる。しかも、製作においては、ステム用容器当接部１３ｄを、操作部材１３と一体的に形成でき、一つの工程で行え、低コストで製作できる。
【００１８】
尚、この実施形態では、鍔１３ｃの下面に設けたステム用容器当接部１３ｄをマウンテン部１１の蓋体１１ａに当接するようにしているが、エアゾール容器１又はキャップ本体２１の一部であれば良く、例えばマウンテン部１１の頂部１１ｂに当接させるようにしても良い。
【００１９】
又、この実施形態では、ステム用容器当接部１３ｄを、鍔１３ｃの下面における外周部に全周に渡って設け、エアゾール容器１に対してキャップ２の嵌着位置が変わりステム押圧部２２ｂがステム１２の鍔１３ｃにおけるいずれの位置を押圧した場合でも、ステム用容器当接部１３ｄがマウンテン部１１の蓋体１１ａに当接し得るようにしているが、例えばエアゾール容器１に対してキャップ２の嵌着位置を決める場合は、ステム押圧部２２ｂによるステム１２の鍔１３ｃの押圧位置も決まるため、ステム押圧部２２ｂによる押圧位置の下方側の部分に部分的に設けるようにしても良い。
【００２０】
尚、ステム押圧部２２ｂや容器当接部１３ｄ、２２ｃ等は、キャップ２や操作部材１３と一体的に形成するものに限らず、別途に形成してキャップ２や操作部材１３に取り付けるようにしても良い。
【００２１】
又、容器当接部１３ｄ、２２ｃとエアゾール容器１におけるマウンテン部１１の頂部１１ｂ等の一部との当接位置は、ステム１２がエアゾール内容液を噴霧し得る位置からティルトバルブ部に支障をきたさない程度に傾いた範囲であれば良い。
【００２２】
【発明の効果】
以上、本願の請求項１乃至３の発明に係るエアゾール噴霧装置は、エアゾール容器に対するステムの傾斜量を一定範囲で止める傾斜停止手段を備えるため、ステム押圧部を強く押した場合でも、ステムがエアゾール容器に対して一定以上傾くようなことを防止でき、従来のようにステムとエアゾール容器との接続部をなすティルトバルブ部に支障をきたすようなことを防止できる。しかも、請求項１に係る発明にあっては、エアゾール容器に係脱自在に嵌着し得るキャップを、キャップ本体と、ステム押圧部と、キャップ用容器当接部とを備え、又、キャップ用容器当接部を、ステム押圧部の押圧によるステムの一定量の傾斜に伴いエアゾール容器又はキャップ本体の一部に当接し得る位置に配位したものとすることにより、キャップにキャップ用容器当接部を付設すれば良く、製作容易なものにでき、低コストで製作できる。
【００２３】
本願の請求項２の発明に係るエアゾール噴霧装置は、上記の発明の効果に加え、傾斜停止手段を、ステムに取り付けられたステム用容器当接部から構成し、エアゾール容器に対するステムの一定量の傾斜に伴ってエアゾール容器の一部に当接し得るように配位したものとすることにより、ステム用容器当接部をステムに取り付けるだけで良く、製作容易なものにでき、低コストで製作できる。
【図面の簡単な説明】
【図１】本願発明のエアゾール噴霧装置の一実施形態の要部断面図である。
【図２】本願発明のエアゾール噴霧装置のキャップの一実施形態の正面図である。
【図３】図１のエアゾール噴霧装置のステムを傾けて噴霧状態とした要部断面図である。
【図４】エアゾール噴霧装置の他の実施形態の要部断面図である。
【図５】図４のエアゾール噴霧装置のステムを傾けて噴霧状態とした要部断面図である。
【符号の説明】
１  エアゾール容器
２  キャップ
１２  ステム
１３  操作部材
１３ｃ  鍔
１３ｄ  ステム用容器当接部
２１  キャップ本体
２２  ステム操作片
２２ａ  押圧操作部
２２ｂ  ステム押圧部
２２ｃ  キャップ用容器当接部
【図１】
0003559362.tif 000002
【図２】
0003559362.tif 000003
【図３】
0003559362.tif 000004
【図４】
0003559362.tif 000005
【図５】
0003559362.tif 000006